(57)【要約】【課題】構造が簡単で、しかも耐久性が高い移動体の制動装置を提供する。【解決手段】正逆方向へ移動する移動体２を制動して所定位置へ停止させる制動装置を、ケース７ａ内に回転自在に収容されたブレーキドラム１２と、ブレーキドラム１２の外周面に捲装されたコイルばねよりなる制動部材１７と、移動体２が正方向へ移動された際制動部材１７を拡径させ、かつ移動体２が予め設定された制動開始位置ｃにまで逆方向へ移動された際制動部材１７を縮径させるアクチュエータ６とから構成したもので、衝撃音が発生することなく移動体２を所定位置に緩速停止させることができる共に、ワンウエイクラッチが不要になる上、ブレーキドラム１２と制動部材１７とで制動手段１１を構成することができるため、部品点数の削減によるコストの低減が図れる。【選択図】図４
2007278013.tif 000002
【特許請求の範囲】
【請求項１】
正逆方向へ移動する移動体の制動装置であって、ケース内に回転自在に収容されたブレーキドラムと、前記ブレーキドラムの外周面に捲装されたコイルばねよりなる制動部材と、前記移動体が正方向へ移動された際前記制動部材を拡径させ、かつ前記移動体が予め設定された制動開始位置にまで逆方向へ移動された際前記制動部材を縮径させるアクチュエータとを具備したことを特徴とする移動体の制動装置。
【請求項２】
前記調整制動部材の一端側に、前記制動部材の内径を拡縮調整する調整ねじと、前記制動部材を縮径方向へ予圧する予圧ばねとからなる制動力調整手段を設けてなる請求項１に記載の移動体の制動装置。
【請求項３】
前記アクチュエータを、前記ブレーキドラムの回転軸に取り付けられたピニオンと、前記移動体の移動方向と平行するよう設けられ、かつ前記移動体が前記制動開始位置に達した際前記ピにオンと噛合するラックとから構成してなる請求項１または２に記載の移動体の制動装置。
【請求項４】
前記ケースを密閉構造に形成し、かつ内部にモリブデングリースよりなる潤滑剤を充填してなる請求項１ないし３の何れかに記載の移動体の制動装置。
【請求項５】
前記制動部材を、異形線コイルばねにより形成してなる請求項１ないし４の何れかに記載の移動体の制動装置。
【請求項６】
前記移動体が自閉装置により自動的に閉鎖される引戸である請求項１ないし５の何れかに記載の移動体の制動装置。
【発明の詳細な説明】
【技術分野】
【０００１】
本発明は自閉装置により自動的に閉鎖される引戸のような移動体を所定位置に緩速停止させる移動体の制動装置に関する。
【背景技術】
【０００２】
ビルや住宅等の建造物に使用されている建具には、自閉装置により自動的に閉鎖される引戸がある。
引戸の自閉装置は、例えば特許文献１に記載されているように、巻き取りドラムに内装されたゼンマイ（付勢手段）を備えている。
また巻き取りドラムには、一端が引戸に固着され、他端が巻き取りドラムに係止された帯状の接続部材が巻き取られていて、引戸を開放すると、接続部材が巻き取りドラムより繰り出されると同時に、ゼンマイが巻き締められて付勢力が増大するようになっている。
その後開放した引戸から手を離すと、ゼンマイの付勢力により巻き取りドラムが接続部材を巻き取り方向へ回転させるため、引戸が自動的に閉鎖されるように構成されている。
しかし自閉装置により自動的に閉鎖される引戸は、閉じる瞬間の速度が最も早くなるため、引戸が戸当りに衝突する際衝突音を発生したり、指等体の一部が挟まれた場合怪我をする問題がある。
【０００３】
かかる問題を解消するため、自閉装置により自動的に閉鎖される引戸の制動装置が例えば特許文献２や３等で提案されている。
前記特許文献２に記載の「ドア一方向ブレーキ装置」は、ドアを吊り下げている吊車の側面にブレーキ板が設けられていて、このブレーキ板はドアを開放する際には吊車と一緒に回転するようになっている。
またドアが閉鎖方向へ移動されると、ブレーキ板と圧着板の接触面に形成された凹凸部が互いに係合して、ブレーキ板が吊車に圧接されるため、ドアは緩やかに制動されながら閉鎖されるように構成されている。
【０００４】
一方前記特許文献３に記載の「ドアクローザ用流体摩擦抵抗型ダンパー装置」は、粘性流体が充填された筐体内に、可動ドラムと回転ドラムが設けられており、回転ドラムと制動軸は一体回転されるようになっている。
制動軸にはワンウエイクラッチを介してピニオンが取り付けられていて、ドアが閉戸位置近傍に達すると、このピニオンがドアの近傍に布設されたラックと噛合して、制動軸が回転されるようになっており、これによって制動軸と一体に回転する回転ドラムと可動ドラムの間に充填された粘性流体の粘性により回転ドラムに制動力が作用するため、自閉装置により自動的に閉鎖されるドアを制動できるようになっている。
【特許文献１】特開平６−１６７１６３号公報
【特許文献２】特開２００２−２５６７５９号公報
【特許文献３】特開平８−９３３１２号公報
【発明の開示】
【発明が解決しようとする課題】
【０００５】
しかし前記特許文献２に記載のブレーキ装置は、ブレーキ板と圧着板の間に、ドアの開放時係合が外れ、ドアの閉鎖時係合する凹凸を設けた構成のため、構造が複雑で高価となる問題がある。
またドア閉鎖時の全工程で制動力がドアに作用するためドアの閉鎖に時間がかかり、冷暖房している建造物に設けられたドアの場合、ドアが閉鎖されるまでの間冷気や暖気が開口部より漏洩するため、冷暖房効果を低下させる問題がある。
一方特許文献３に記載のダンパー装置は、制動力を粘性流体により得ているため、制動力が気温の変化等に影響されやすい問題がある。
またドアを開放する際には制動力が作用しないようピニオンと制動軸の間にワンウエイクラッチを設けているため、部品点数が多くなって部品コストが上るため、装置自体が高価となる問題もある。
本発明はかかる従来の問題を改善するためになされたもので、構造が簡単で、しかも耐久性が高い移動体の制動装置を提供することを目的とするものである。
【課題を解決するための手段】
【０００６】
本発明の移動体の制動装置は、正逆方向へ移動する移動体の制動装置であって、ケース内に回転自在に収容されたブレーキドラムと、ブレーキドラムの外周面に捲装されたコイルばねよりなる制動部材と、移動体が正方向へ移動された際制動部材を拡径させ、かつ移動体が予め設定された制動開始位置にまで逆方向へ移動された際制動部材を縮径させるアクチュエータとから構成したものである。
【０００７】
前記構成により、移動体が制動開始位置に達し、アクチュエータによりブレーキドラムが回転されると、ブレーキドラムと制動部材の摩擦により制動部材が縮径されて、ブレーキドラムとの接触面に制動力が発生し、この制動力により移動体が減速されるため、衝撃音が発生することなく移動体を所定位置に緩速停止させることができる。
またコイルばねよりなる制動部材がワンウエイクラッチの機能を有するため、ワンウエイクラッチが不要になる上、ブレーキドラムと制動部材とで制動手段を構成することができるため、部品点数の削減によるコストの低減が図れる。
【０００８】
本発明の移動体の制動装置は、調整制動部材の一端側に、制動部材の内径を拡縮調整する調整ねじと、制動部材を縮径方向へ予圧する予圧ばねとからなる制動力調整手段を設けたものである。
【０００９】
前記構成により、移動体の重量や、移動体の移動距離等の諸条件に合せて制動力が任意に調整できるため、汎用性が高いと共に、予圧ばねにより制動手段に予圧が付与されていることにより、ブレーキドラムに対する制動部材の初期食いつき性が向上するため、移動体を確実に制動することができる上、長期間使用している間に、ブレーキドラムと制動部材の接触面が摩耗して制動力が低下した場合にも、調整ねじにより簡単に制動力が調整できるため、初期設定時の制動力を長期間に亘って維持することができる。
【００１０】
本発明の移動体の制動装置は、アクチュエータを、ブレーキドラムの回転軸に取り付けられたピニオンと、移動体の移動方向と平行するよう設けられ、かつ移動体が制動開始位置に達した際ピにオンと噛合するラックとから構成したものである。
【００１１】
前記構成により、ラックの設置位置を変えることにより制動開始位置が任意に設定できる上、アクチュエータが安価に得られるようになる。
【００１２】
本発明の移動体の制動装置は、ケースを密閉構造に形成し、かつ内部にモリブデングリースよりなる潤滑剤を充填したものである。
【００１３】
前記構成により、ブレーキドラムと制動部材の接触面に過大な摩擦力が発生しても、ブレーキドラムの表面にカジリ等が発生することがないため、長期間安定した制動力が得られる。
【００１４】
本発明の移動体の制動装置は、制動部材を異形線コイルばねにより形成したものである。
【００１５】
前記構成により、ブレーキドラムと制動部材との接触面積が大きくなるため、少ない巻き数で大きな制動力が得られるようになり、これによって制動装置本体の小型軽量化が可能になる。
【００１６】
本発明の移動体の制動装置は、自閉装置により自動的に閉鎖される引戸に適用したものである
【００１７】
前記構成により、自閉装置により自動的に閉鎖される引戸が制動開始位置に達し、アクチュエータによりブレーキドラムが回転されると、ブレーキドラムと制動部材の摩擦により制動部材が縮径されて、ブレーキドラムとの接触面に制動力が発生し、この制動力により引戸が減速されるため、衝撃音が発生することなく引戸を閉位置に緩速停止させることができると共に、引戸が制動開始位置に達したときから制動が開始されるため、引戸の閉鎖時間を短縮することができ、これによって冷暖房している建造物に設けられた引戸に採用した場合、冷暖房による冷気や暖気が開口部より漏洩することが少なくなるため、冷暖房効果の向上が図れる。
またコイルばねよりなる制動部材がワンウエイクラッチの機能を有するため、ワンウエイクラッチが不要になる上、ブレーキドラムと制動部材とで制動手段を構成することができるため、部品点数の削減によるコストの低減が図れる。
【発明の効果】
【００１８】
本発明の移動体の制動装置によれば、移動体が制動開始位置に達すると、ブレーキドラムの回転により制動部材が縮径されて、ブレーキドラムとの接触面に制動力が発生し、この制動力により移動体が減速されるため、衝撃音が発生することなく移動体を所定位置に緩速停止させることができる。
【発明を実施するための最良の形態】
【００１９】
本発明の実施の形態になる移動体の制動装置を、自閉装置により自動的に閉鎖される引戸に実施した例を、図面を参照して詳述する。
図１は制動装置が設けられた引戸の正面図、図２は同側面図、図３は制動装置本体の正面図、図４は図３のＡ−Ａ線に沿う断面図、図５は図３のＢ−Ｂ線に沿う断面図、図６図４のＣ−Ｃ線に沿う断面図である。
ビルや住宅等の建造物１の開口部１ａには、開口部１ａを開閉する引戸２が設けられている。
引戸２は開口部１ａの上部と床１ｂに布設されたガイドレール（図示せず）に案内されて矢印ａ、ｂ方向へ開閉自在となっており、自閉装置３により閉方向ｂへ自動的に閉鎖されるようになっている。
【００２０】
自閉装置３には、既存のものが使用されているため詳細な説明は省略するが、例えばゼンマイよりなる付勢手段により戸締り方向に付勢された巻き取りドラム（ともに図示せず）と、この巻き取りドラムに巻き取られたワイヤ３ａとからなり、ワイヤ３ａの一端は、引戸２の上部に固着されたワイヤ固定部材４に結着されている。
そして引戸２が閉位置より開方向ａへ移動（開放）されると、自閉装置３の巻き取りドラムよりワイヤ３ａが繰り出され、同時に付勢手段が巻き締められて付勢力が増大し、開位置で引戸２から手を離すと、付勢手段により巻き取りドラムが回転されてワイヤ３ａを巻き取るため、引戸２は自動的に閉位置へと移動されて、開口部１ａを閉鎖するようになっている。
【００２１】
前記構成された自在装置３による引戸２の自閉動作では、引戸２が自閉を開始したときが最も速度が遅く、引戸２が閉位置に達したときに最も速度が早くなるため、引戸２が戸当り部１ｃに衝突した際大きな衝突音が発生する。
これを防止するため、自閉装置３により自動的に閉鎖される引戸２の戸当り面２ａが図１の仮想線で示す制動開始位置ｃに達したときに、制動装置５により引戸２が制動されるようになっている。
制動装置５は、引戸２側に後述するブラケット２０を介して取り付けられた制動装置本体７と、制動装置本体７に設けられたピにオン６ａ及び制動開始位置ｃ近傍の開口部１ａ上方に設置されたラック６ｂとから構成されたアクチュエータ６よりなる。
【００２２】
制動装置本体７は図３ないし図６に示すように、後面側が開口した例えば角箱状のケース７ａと、ケース７ａの開口部７ｂに固着具８により取り付けられたカバー７ｃとを有しており、これらケース７ａ及びカバー７ｃは、金属や合成樹脂により形成されていると共に、ケース７ａの開口側端面とカバー７ｃの間には、シートパッキン等のシール部材９ａが介在されている。
ケース７ａの前面とカバー７ｃには、ほぼ中心部に軸孔７ｄ、７ｅが一直線上に設けられていて、これら軸孔７ｄ、７ｅに、それぞれシール機能を有する軸受け１０が液密に嵌着されており、各軸受け１０の内側には、軸孔７ｄ、７ｅの内周面に環状溝７ｆが形成されていて、これら環状溝７ｆにもＯリング等のシール部材９が嵌合されている。
ケース７ａには制動手段１１を構成するブレーキドラム１２が設けられていて、ブレーキドラム１２の両端面より突設された回転軸１２ａが軸受け１０に回転自在に支承されており、各軸受け１０とブレーキドラム１２の両端面との間には、ブレーキドラム１２がスラスト方向へ移動するのを規制するスペーサ１３が介在されている。
【００２３】
ブレーキドラム１２の両端面に突設された回転軸１２ａの一方は他方より長く形成されていて、ケース７ａの外側へ突出されていて、先端部にピニオン６ａが固着具１４により固着されおり、ピニオン６ａとケース７ａの間にもスペーサ１３が介在されている。
ケース７ａ内に設けられたブレーキドラム１２の外周面には、ワンウエイクラッチを兼ねた制動部材１７が捲装されている。
制動部材１７は、ブレーキドラム１２とにより制動手段１１を構成するもので、線条１７ａの断面が角形の異形線コイルばねにより形成されていて、内径がブレーキドラム１２の外径より僅かに大きくなっており、線条１７ａの両端は図６に示すように外側へほぼ直角に屈曲されていて、一方の屈曲部１７ｂは、ケース７ａの内周面に形成された凹孔よりなる端末固定部７ｇに係止されている。
そして他方の屈曲部１７ｃは、ケース７ａ内に設けられた制動力調整手段１８に係止されている。
【００２４】
制動力調整手段１８は図４及び図６に示すように、制動部材１７を挟んで前記端末固定部７ｇと対向するように設けられていて、調整ねじ１８ａと、コイルばねよりなる予圧ばね１８ｂとからなる。
調整ねじ１８ａと予圧ばね１８ｂは、上下方向に一直線上に配置されていて、調整ねじ１８ａはケース７ａの上部に形成されたねじ孔７ｈに上方より螺挿されており、調整位置がロックナット１８ｃにより固定できるようになっている。
予圧ばね１８ｂは、調整ねじ１８ａと同軸となるように下端がケース７ａの下部に植設されたガイドピン１８ｄに嵌装されていて、調整ねじ１８ａの先端と予圧ばね１８ｂの先端間で制動部材１７の屈曲部１７ｃを挟着することにより、制動力調整手段１８に対し屈曲部１７ｃが係止されている。
また制動手段１１を構成するブレーキドラム１２及び制動部材１７は、繰り返し加わる制動力に対して早期に摩耗するのを防止して耐久性を高めるため、熱処理等による表面処理が施されており、ケース７ａ内には、例えばモリブデングリースのような潤滑剤がほぼ一杯に充填されていて、ブレーキドラム１２と制動部材１７の接触面にカジリ等が発生するのを防止している。
【００２５】
一方前記構成された制動装置本体７は、ケース７ａの下部に形成された取り付け部７ｉが固着具１９によりブラケット２０の上部に固着されている。
ブラケット２０は図２に示すようにほぼＬ字形に形成されていて、下部が固着具１９により引戸２の上面に固着されている。
制動装置本体１の取り付け位置は、引戸２の戸当り面２ａより開放側へ距離Ｌだけオフセットされていて、引戸２の戸当り面２ａが図１の仮想線で示す制動開始位置ｃに達したとき、開口部１ａの上方に水平に設置されたラック６ｂに、制動装置本体７側に設け設けられたピニオン６ａが噛合されるようになっている。
ラック６ｂは歯を上向きにして、ほぼＬ字形に形成されたブラケット２１の水平部に固着されており、ブラケット２１の垂直部は建造物１の壁面に固着されていると共に、ラック６ｂの全長は、引戸２の戸当り面２ａが制動開始位置ｃに達してピニオン６ａが噛合してから、引戸２が閉位置に達した際にもピニオン６ａが離脱しない長さに設定されている。
【００２６】
次に前記構成された移動体の制動装置の作用を説明する。
自閉装置３により自動的に閉鎖される引戸２の上部に、図１に示すように制動装置本体７を取り付け、建造物１側の壁面にアクチュエータ６のラック６ｂを水平に取り付ける。
次に制動力調整手段１８により制動力を調整するに当り、まず調整ねじ１８ａを固定しているロックナット１８ｃを緩め、この状態で実際に引戸２を開閉して制動力が適正かを判断する。
判断するに当たって、まず閉位置にある引戸２を開方向ａへ移動させると、引戸２と共に制動装置本体７も移動し、このとき制御装置本体７側に設けられたピニオン６ａがラック６ｂにより回転されるため、予圧ばね１８ｂの作用でブレーキドラム１２の外周面に圧接された異形線コイルばねよりなる制動部材１７が拡径方向に捩じられて、ブレーキドラム１２の外周面より僅かに離間することから、制動部材１７のワンウエイクラッチ機能により引戸２の開放時には制動力が作用することがなく、これによって引戸２を容易に開放することができる。
【００２７】
次に開位置にある引戸２から手を離すと、自閉装置３の作用により引戸２が自動的に閉方向ｂへ移動を開始し、引戸２の戸当り面２ａが制動開始位置ｃに達すると、制動装置本体７側のピニオン６ａがラック６ｂと噛合し、ラック６ｂによりピニオン６ａを介してブレーキドラム１２が回転される。
ブレーキドラム１２の外周に設けられた制動部材１７には、制動力調整手段１８の予圧ばね１８ｂによりブレーキドラム１２の外周面に軽く圧接されるように予圧が加えられているため、ブレーキドラム１２が回転されると、ブレーキドラム１２と制動部材１７の摩擦により制動部材１７が縮径されて、ブレーキドラム１２との接触面に制動力が発生し、自閉装置３により自動的に閉鎖されて制動開始位置ｃに達した引戸２は、制動装置本体７に発生した制動力により減速される。
その後制動装置本体７による制動力は、引戸２が閉位置に達するまで漸増するため、引戸２は閉位置に達したときには速度がほとんどなくなり、これによって引戸２が戸当り部１ｃに当接した際に衝撃音が発生することがほとんどない。
【００２８】
以上の操作を数回繰り返して、引戸２に対する制動の効き具合を調査し、制動力が適正と判断された場合は、調整ねじ１８ａのロックナット１８ｃを締め付けて、その位置に調整ねじ１８ａを固定するが、制動装置本体７による制動力が弱すぎて、引戸２が戸当り部１ｃに強く当ったり、逆に制動力が強すぎて、引戸２が戸当り部１ｃに当る前に停止する場合は、調整ねじ１８ａを回転して、制動部材１７の捩じり力を調整する。
すなわち制動力が弱い場合は、調整ねじ１８ａを回転して、制動部材１７を縮径方向に調整し、制動力が強い場合は、制動部材１７を拡径方向に調整する。
これによって引戸２の重量や、引戸２の開閉距離等の諸条件に合せて制動力が任意に調整できると共に、調整後はロックナット１８ｃにより調整ねじ１８ａを調整位置に固定することにより、その制動力を長期間維持することができる。
【００２９】
一方ケース７ａ内にはモリブデングリースのような潤滑剤が充填されていて、ブレーキドラム１２と制動部材１７の接触面を常時潤滑している上、ブレーキドラム１２と制動部材１７は熱処理等の表面処理が施されていて、耐摩耗性が向上されているため、接触面に過大な摩擦力が発生しても、ブレーキドラム１２の表面にカジリ等が発生することがなく、これによって長期間安定した制動力が得られる。
また制動部材１７に異形線コイルばねを使用したことにより、ブレーキドラム１２との接触面積が大きくなるため、少ない巻き数で大きな制動力が得られるようになり、これによって制動装置本体７の小型軽量化が可能になるため、住宅等に設置された比較的小型の引戸２にも制動装置５を容易に設置することが可能になる。
さらに長期間使用している間に、ブレーキドラム１２と制動部材１７の接触面が摩耗して制動力が低下した場合にも、調整ねじ１８ａにより簡単に制動力が調整できるため、初期設定時の制動力を長期間に亘って維持することができる。
【００３０】
なお前記実施の形態では、図１に示すように左方向へ開放される引戸２に適用した場合について説明したが、右方向へ開放される勝手違いの引戸に対しても、予め逆仕様の制動装置を製作しておくことにより、対応することができる。
すなわち図６に示す制動部材１７の端末固定部７ｇの位置と、制動力調整手段１８の位置を逆にした勝手違いの制動装置本体７を予め製作することにより、左右何れの方向へ開放する引戸２にも対応できるものである。
また前記実施の形態では、移動体を自閉装置３により自動的に閉鎖される引戸２とした場合について説明したが、正逆方向へ移動される移動体であって、一方向の移動のみ制動を必要とする移動体全般に適用できるものである。
【図面の簡単な説明】
【００３１】
【図１】本発明の実施の形態になる移動体の制動装置を採用した自閉引戸の正面図である。
【図２】本発明の実施の形態になる移動体の制動装置を採用した自閉引戸の側面図である。
【図３】本発明の実施の形態になる移動体の制動装置の正面図である。
【図４】図３のＡ−Ａ線に沿う断面図である。
【図５】図３のＢ−Ｂ線に沿う断面図である。
【図６】図４のＣ−Ｃ線に沿う断面図である。
【符号の説明】
【００３２】
２    引戸（移動体）
３    自閉装置
６    アクチュエータ
６ａ    ピニオン
６ｂ    ラック
７    制動装置本体
７ａ    ケース
１１    制動手段
１２    ブレーキドラム
１７    制動部材
１８    制動力調整手段
１８ａ    調整ねじ
１８ｂ    予圧ばね
【図１】
2007278013.tif 000003
【図２】
2007278013.tif 000004
【図３】
2007278013.tif 000005
【図４】
2007278013.tif 000006
【図５】
2007278013.tif 000007
【図６】
2007278013.tif 000008